(57)【要約】【課題】ファンの寿命を長くすることができる照明器具等を提供する。【解決手段】照明装置は、点灯中に光源から発せられる熱を放出する放熱部を有する器具本体に対して、放熱部の熱放出を促進する軸流ファン２９が、装着部材１４１を介して装着されてなる構造を有し、軸流ファン２９は、そのフレームが装着部材１４１に載置されていると共に、軸受１２３を保持するベース（保持部）１１５を回転中心上に有し、当該ベース１１５が装着部材１４１と接触している。【選択図】図５
2014071981.tif 000002
【特許請求の範囲】
【請求項１】
点灯中に光源から発せられる熱を放出する放熱部を有する器具本体に対して、前記放熱部の熱放出を促進する軸流ファンが、装着部材を介して装着されてなる照明器具において、
前記軸流ファンは、そのフレームが前記装着部材に載置されていると共に、軸受を保持する保持部を回転中心上に有し、
前記保持部が前記装着部材と接触している
ことを特徴とする照明器具。
【請求項２】
前記装着部材と前記放熱部の間に、前記装着部材よりも振動吸収性の高い制振部材が介在し、
前記装着部材が前記制振部材に接触している
ことを特徴とする請求項１に記載の照明器具。
【請求項３】
前記装着部材は、板状をすると共に前記軸流ファン用の通気孔を有し、
前記装着部材における前記保持部と接触する部分は、前記装着部材を平面視したときに、前記通気孔の外側部分から架設されて前記通気孔中に位置する
ことを特徴とする請求項１又は２に記載の照明器具。
【請求項４】
前記装着部材は、板状をすると共に前記軸流ファン用の複数の通気孔を有し、
当該複数の通気孔は、前記装着部材を平面視したときに、前記保持部と接触する部分を囲繞する
ことを特徴とする請求項１又は２に記載の照明器具。
【請求項５】
前記装着部材の投影面積は、前記軸流ファンの投影面積よりも大きい
ことを特徴とする請求項３又は４に記載の照明器具。
【請求項６】
前記制振部材は板状であり、
前記制振部材の外周形状が前記装着部材の外周形状と略同じである
ことを特徴とする請求項２〜５のいずれか１項に記載の照明器具。
【請求項７】
前記制振部材の熱伝導率は、前記装着部材の熱伝導率よりも低い
ことを特徴とする請求項６に記載の照明器具。
【請求項８】
前記装着部材は、放熱シート又は放熱グリスを介して前記保持部と接触する
ことを特徴とする請求項１〜７のいずれか１項に記載の照明器具。
【請求項９】
光源を有する照明器具と、前記光源を点灯させる電源ユニットとを備える照明装置において、
前記照明器具は、請求項１〜８のいずれか１項に記載の照明器具である
ことを特徴とする照明装置。
【発明の詳細な説明】
【技術分野】
【０００１】
本発明は、点灯中の光源からの熱を放出する放熱部と、放熱部の熱放出を促進させる軸流ファンとを備える照明器具及び照明装置に関する。
【背景技術】
【０００２】
半導体発光素子の１つであるＬＥＤを光源として利用する照明器具が提案されている。なお、ＬＥＤは、白熱電球と比較して、効率、寿命の点で優れた特性を有しているが、発光時に自己発熱し、温度が上昇すると前記特性は悪くなる。
近年、高出力化の要望に対応した照明器具として、点灯時のＬＥＤの熱を放出するためのフィン（放熱部）と、フィン周辺の空気を流動させる軸流ファンとを備えたものが検討されている（例えば特許文献１）。
【０００３】
特許文献１に記載されている照明器具は、所謂ダウンライトタイプであり、器具本体、発光モジュール、軸流ファンを備える。器具本体は、天井等に装着され、ＬＥＤを備える発光モジュールを装着するための装着部を表側に有し、その裏側に複数のフィンが形成されたフィン部を有する。このフィン部には軸流ファンが取り付けられている。
点灯時に発光モジュール（ＬＥＤ）から発生した熱は、装着部を介してフィン部に伝導され、フィン部から周辺空気へと放出される。このとき、軸流ファンの羽根の回転によってフィン部の周辺の空気が流動し、フィンと周辺空気との熱交換が促進される。
【先行技術文献】
【特許文献】
【０００４】
【特許文献１】実用新案登録第３１６３２６６号公報
【発明の概要】
【発明が解決しようとする課題】
【０００５】
上記構成の照明器具では、寿命が短くなってしまうという課題がある。
上記軸流ファンの羽根は、ＬＥＤが発光している間、ＬＥＤの温度上昇を抑制するために常時回転している。このため、軸流ファンの回転軸と軸受との温度がこれらの摩擦により高くなる。これにより、軸受の摩耗がひどくなり、長期間の使用が困難になるのである。
【０００６】
このような課題は、ダウンライトタイプの照明器具及び照明装置に限定して生じるものではなく、軸流ファンを有する照明器具及び照明装置であれば生じ得る。
本発明は上記課題に鑑みてなされたものであり、軸流ファンの寿命を長くすることができる照明器具及び照明装置を提供することを目的とする。
【課題を解決するための手段】
【０００７】
上記課題を解決するため、本発明の一態様の照明器具は、点灯中に光源から発せられる熱を放出する放熱部を有する器具本体に対して、前記放熱部の熱放出を促進する軸流ファンが、装着部材を介して装着されてなる照明器具において、前記軸流ファンは、そのフレームが前記装着部材に載置されていると共に、軸受を保持する保持部を回転中心上に有し、前記保持部が前記装着部材と接触していることを特徴とする。
【０００８】
また、上記課題を解決するため、本発明の一態様の照明装置は、光源を有する照明器具と、前記光源を点灯させる電源ユニットとを備える照明装置において、前記照明器具は、上記構成の照明器具であることを特徴とする。
【発明の効果】
【０００９】
上記構成を有する本発明の照明器具及び照明装置は、保持部が装着部材と接触しているので、軸流ファンの軸受を保持する保持部の温度上昇を抑制することができる。これにより、軸流ファンを長寿命化できる。
【図面の簡単な説明】
【００１０】
【図１】実施形態に係る照明装置の斜視図である。
【図２】照明器具を発光部側から見た斜視図である。
【図３】照明器具の断面図である。
【図４】照明器具の分解斜視図である。
【図５】軸流ファンの回転軸周辺の拡大断面図である。
【図６】変形例１に係る照明器具の断面図である。
【図７】変形例２に係る軸流ファンの説明図であり、（ａ）は上方から見た図であり、（ｂ）は下方から見た図である。
【図８】変形例３に係る軸流ファンの断面図である。
【図９】変形例４に係る軸流ファンの断面図である。
【図１０】変形例５に係る照明器具の概略図である。
【図１１】変形例に係るフィンの平面視であり、（ａ）が変形例６に係るフィンであり、（ｂ）が変形例７に係るフィンである。
【図１２】変形例８に係るフィンを有する照明装置の断面図である。
【図１３】変形例９〜１１に係る制振部材の平面図である。（ａ）は変形例９に係る制振部材であり、（ｂ）は変形例１０に係る制振部材であり、（ｃ）は変形例１１に係る制振部材である。
【発明を実施するための形態】
【００１１】
＜本発明の一態様の概要＞
本発明の一態様に係る照明器具は、点灯中に光源から発せられる熱を放出する放熱部を有する器具本体に対して、前記放熱部の熱放出を促進する軸流ファンが、装着部材を介して装着されてなる照明器具において、前記軸流ファンは、そのフレームが前記装着部材に載置されていると共に、軸受を保持する保持部を回転中心上に有し、前記保持部が前記装着部材と接触している。
【００１２】
また、前記装着部材と前記放熱部の間に、前記装着部材よりも振動吸収性の高い制振部材が介在し、前記装着部材が前記制振部材に接触している。これにより、軸流ファンの軸受の振動が大きくなっても、振動による騒音の発生を抑えることができる。
さらに、前記装着部材は、板状をすると共に前記軸流ファン用の通気孔を有し、前記装着部材における前記保持部と接触する部分は、前記装着部材を平面視したときに、前記通気孔の外側部分から架設されて前記通気孔中に位置する。これにより、軸流ファンによって生じる空気の流動を妨げるようなことを少なくできる。
【００１３】
また、前記装着部材は、板状をすると共に前記軸流ファン用の複数の通気孔を有し、当該複数の通気孔は、前記装着部材を平面視したときに、前記保持部と接触する部分を囲繞する。これにより、軸流ファンによって生じる空気の流動を妨げるようなことを少なくできる。
さらに、前記装着部材の投影面積は、前記軸流ファンの投影面積よりも大きい。これにより、保持部から装着部材への熱伝導量を多くできる。
【００１４】
また、前記制振部材は板状であり、前記制振部材の外周形状が前記装着部材の外周形状と略同じである。これにより、装着部材から器具本体へ軸流ファンの振動が伝わるのを抑制できる。
さらに、前記制振部材の熱伝導率は、前記装着部材の熱伝導率よりも低い。これにより、保持部の熱が器具本体側に伝わるのを抑制したり、器具本体の熱が装着部材側に伝わるのを抑制したりできる。
【００１５】
また、前記装着部材は、放熱シート又は放熱グリスを介して前記保持部と接触する。これにより、保持部から装着部材への熱伝導量を多くできる。
光源を有する照明器具と、前記光源を点灯させる電源ユニットとを備える照明装置において、前記照明器具は、上記構成の照明器具である。これにより、上記照明器具で得られた効果と同じ効果が照明装置においても得られる。
【００１６】
＜実施形態＞
以下、本発明の実施形態について図面を用いて説明する。
１．全体構成
図１は実施形態に係る照明装置１の斜視図である。
照明装置１は電源ユニット３と照明器具５とを有する。電源ユニット３は、商用電源に配線ケーブル７を介して電気的に接続される。電源ユニット３と照明器具５とは配線ケーブル９を介して電気的に接続されている。
【００１７】
電源ユニット３は、受電した商用電力を、照明器具５の発光部１５を発光させるための電力に変換する。照明器具５は電源ユニット３で変換された電力を受電して、発光部１５が発光する。ここでは、発光部１５は半導体発光素子であるＬＥＤにより構成され、電源ユニット３は直流電力に変換する。
２．各ユニット
（１）電源ユニット
電源ユニット３は、照明装置１がダウンライトであるため、天井裏に配設される。電源ユニット３は、筐体１１と回路部とを有する。筐体１１は、内部に回路部を収容する機能を有する。このため、回路部は、筐体１１内に収容されており、図１には現れていない。
【００１８】
筐体１１は、箱状をし、具体的には直方体状をしている。
回路部は、例えば、受電した商用電力（交流電力）を直流電力に整流する整流回路、整流された電力から発光部１５を発光させるための電力に変換する変換回路等を含む。
回路部は、具体的には、回路基板と、回路基板に実装された複数の電子部品とから構成される。筐体１１内では、回路基板が例えば、ネジ部材等により固定されている。
（２）照明器具
図２は、照明器具５を発光部１５側から見た斜視図であり、図３は照明器具５の断面図である。図４は、照明器具５の分解斜視図である。
【００１９】
照明器具５は、発光部１５、反射部１７、熱放出部１９を含む。
発光部１５は、複数のＬＥＤから構成され、照明装置１の光源としての機能を有する。反射部１７は、発光部１５から出射された光を所望の方向に反射させる機能を有する。熱放出部１９は、発光部１５の発光時に生じた熱を放出する機能を有する。
照明器具５は、図３に示すように、複数の放熱フィン（以下、単に、「フィン」という。）２１を有する器具本体２３と、器具本体２３に装着された発光手段２５と、器具本体２３に装着された反射手段２７と、器具本体２３に装着された軸流ファン２９とを備える。
【００２０】
ここで、発光部１５は主に発光手段２５により構成される。反射部１７は主に反射手段２７により構成され、熱放出部１９は、器具本体２３のフィン２１と軸流ファン２９とから構成される。
以下、各部について説明する。
（２―１）器具本体
器具本体２３は、発光手段２５を装着するための装着部分３５と、複数のフィン２１からなるフィン部分３７とを有する。なお、フィン部分は、本発明の「放熱部」に相当する。
【００２１】
器具本体２３は、略下半分が碗状をし、この部分が装着部分３５である。複数のフィン２１は、碗状の装着部分３５の底３５ａの外側に設けられている。ここで碗部分の開口がある側を表側、碗部分の開口と反対側（あるいは、フィン２１のある側）を裏側とする。
装着部分３５の内側に、より具体的にはその底３５ａに発光手段２５が装着され、この底３５ａの表面が装着領域３５ｂとなる。底３５ａの裏面からは、裏側（図３では上方である。）へと複数のフィン２１が延伸する。これにより、点灯時の熱が装着部分から放熱部分へと熱伝導される。
【００２２】
１つのフィン２１の形状は、裏側から見たときに、図４のように、矩形状をしている。ここで、矩形状の短辺が延伸している方向を横方向や短手方向といい、長辺が延伸している方向を縦方向や長手方向という。
複数のフィン２１は、ここでは、２０個ある。２０個のフィン２１は、短手方向の両端を除いて、２列状に設けられている。短手方向の中央部分の複数のフィン２１ａの高さは、図４に示すように、その両側のフィン２１ｂの高さより低くなっている。
【００２３】
短手方向の両端に位置するフィン２１ｂは、軸流ファン２９を装着するための一部の構成が設けられている。装着方法として、例えば螺合手段が採用され、一部の構成はネジ孔２１ｃである。
（２―２）発光手段
発光手段２５は、ＬＥＤを複数備えている。複数のＬＥＤは、図３に示すように、実装基板４３に実装されてなるモジュール４５として、器具本体２３に装着される。つまり、モジュール４５は、実装基板４３と、この実装基板４３に実装された複数のＬＥＤ（図示省略）と、複数のＬＥＤを被覆してＬＥＤを封止する封止部材４７とを有する。
【００２４】
実装基板４３の中央部分には貫通孔４３ａが形成されており、この貫通孔４３ａを裏側から表側へと挿通する配線ケーブル９の配線９２が、実装基板４３に形成されている配線パターンと接続されている。なお、接続は半田により行われている。
本実施形態では、複数のＬＥＤは、例えば、図２に示すように、６個のグループに分けられ、各グループが六角形の角部の位置に相当するように、円板状の実装基板４３に配設されている。封止部材４７は、ここでは、各グループを構成するすべてのＬＥＤを纏めて（すなわち、グループ単位で）被覆している。図２で現れているのは封止部材４７である。
【００２５】
発光手段２５は、本実施形態では、図３に示すように、モジュール４５の他に反射板５１を備える。反射板５１は、ＬＥＤから発せられた光を表側に反射させるためのものである。具体的には、反射板５１は、ＬＥＤの各グループに対応して碗状に凹入する凹部５３を有している。凹部５３は、その凹入先端に開口５３ａを有し、周面が反射面６３となっている。なお、凹部５３の開口５３ｂ内にＬＥＤ（封止部材４７）が位置する。
【００２６】
発光手段２５は、本実施形態では、前面パネル５５を有している。前面パネル５５は、主に、モジュール４５及び反射板５１を保護する機能を有する。前面パネル５５は、光透性材料（例えば、樹脂材料である。）により構成されている。
発光手段２５を構成する部材、ここでは、モジュール４５、反射板５１及び前面パネル５５は、器具本体２３に固定される。固定方法として、例えば係合手段が採用されている。
【００２７】
つまり、器具本体２３に形成されている溝５６に、反射板５１に設けられた凸部５７が係合する。また、器具本体２３に形成されている溝５８に、前面パネル５５をモジュール４５側に押さえる円環状の押さえ板５９の周縁が係合する。
（２−３）反射手段
反射手段２７は反射面６３を有する。反射手段２７は、筒体６５と反射板６７とを備える。
【００２８】
筒体６５の内周面は、照明器具の前面から後面に移るに従って内周径が小さくなる碗状をしている。この内周面に、内周面の形状に対応した反射板６７が設けられている。反射板６７は、筒体６５の内周面と対向する面と反対側の面（内周面）が反射面６３となっている。なお、反射面６３は、例えば、反射膜を形成したり、鏡面仕上げしたりすることで得られる。
【００２９】
反射板６７の筒体６５への装着方法としては、例えば、係合手段が採用されている。具体的には、反射板６７の前面側の端部６７ａ及び後面側の端部６７ｂを筒体６５の前面の端部６５ａ側及び後面の端部６５ｂ側に湾曲させることで、係合させている。
筒体６５は、器具本体２３の前面側に装着される。このため、筒体６５の裏面側には、筒体６５と器具本体２３とを装着させる一部の構成が設けられている。ここでは、装着方法として、螺合手段が採用され、ネジ部材６９（図１参照）と、器具本体２３の貫通孔と、筒体６５のネジ孔とで構成される。
【００３０】
筒体６５は、前面側の端部６５ａに筒体６５の径方向外方へと張り出す鍔部分９３を有する。これにより、照明器具５を天井の開口に装着したときに、照明器具５と天井の開口との隙間が隠される。
筒体６５は、天井の開口に挿入された際に、照明器具５を天井側に固定するための固定手段を有している。固定手段としては、図２に示すような、板バネ９５が利用されている。板バネ９５は、天井に挿入された状態では、外方に拡がろうとし、この復元力により、天井の開口の周面を押圧する。
（２−４）軸流ファン
軸流ファン２９は、フィン２１からの放熱を促進させるためのものである。軸流ファン２９は、装着部材１４１を介して器具本体２３に装着される。軸流ファン２９は、その羽根１０３の回転により、フィン２１付近の空気を流動させて、フィン２１の熱交換を促進する。
【００３１】
軸流ファン２９は、基本構成として、フレーム１０５（図３参照）、固定部１０７及び回転部１０９を備える。なお、複数の羽根１０３は、回転部１０９に設けられている。
図５は、軸流ファン２９の回転軸周辺の拡大断面図である。
フレーム１０５は、図３及び図５に示すように、固定部１０７を支持し、回転部１０９は、固定部１０７に対して回転自在に支持され、固定部１０７により回転力が与えられて回転する。ここでの回転力は、磁界と電流のローレンツ力とを利用するものである。
【００３２】
フレーム１０５は筒状、ここでは、横断面形状が四角形（正方形）状をしている。フレーム１０５の内部には、羽根１０３等が収容されている。フレーム１０５は、内周面から中心軸に向かって延伸する延伸部分１１３を有している。
延伸部分１１３は、ここでは、複数個（４個）あり、器具本体２３側の端部であって４角（隅）から延伸している。延伸部分１１３は、中心軸付近（中心軸を含む領域である。）で固定部１０７と連結する。これにより、固定部１０７が延伸部分１１３により支持される。
【００３３】
固定部１０７は、フランジ状をしたベース１１５と、ベース１１５に設けられたコイル１１７とを有する。ベース１１５は、筒部分１１５ａと、筒部分１１５ａの器具本体２３側の端部から径方向外方へと延びる鍔部分１１５ｂとを有する。
コイル１１７は、ベース１１５の筒部分１１５ａに、周方向に間隔をおいて複数個設けられている。鍔部分１１５ｂは延伸部分１１３と連結されている。なお、実際には、ベース１１５、延伸部分、フレーム１０５は一体で成形されている。
【００３４】
ベース１１５は、回転部１０９を回転自在に支持する軸受１２３を保持する。具体的には、ベース１１５は、筒部分１１５ａの内周側に２個の軸受１２３を保持する。２個の軸受１２３は、回転中心の延伸する方向に間隔をおいて配されている。なお、ここでは、軸受１２３としてボール軸受が利用されている。
ベース１１５の筒部分１１５ａの中心軸と、回転部１０９の回転中心とが一致する。つまり、ベース１１５は回転中心上に位置している。
【００３５】
回転部１０９は、ベース１１５の筒部分１１５ａ内に配された回転軸１１９を有している。この回転軸１１９は、軸受１２３を介して固定部１０７に装着されている。これにより、回転部１０９が固定部１０７に対して回転自在に支持される。
回転部１０９は、固定部１０７のコイル１１７に対して間隔をおいた状態で前記コイル１１７を覆うハウジング１２５と、複数の羽根１０３とを有する。
【００３６】
ハウジング１２５は有底筒状をし、筒状部分に回転軸１１９が装着されている。なお、回転軸１１９は、その中心軸とハウジング１２５の中心軸とが一致する状態で装着されている。ハウジング１２５には、固定部１０７側のコイルと対向して、永久磁石１２７が設けられている。永久磁石１２７は、ハウジング１２５の筒部分１２５ａの内周面に、周方向に間隔をおいて複数個設けられている。
【００３７】
回転部１０９の永久磁石１２７と、固定部１０７のコイル１１７とで、所謂電気モータが構成される。つまり、回転部１０９の永久磁石１２７が固定部１０７のコイル１１７で発生した磁力に引き付けられて、回転部１０９が回転する。
フレーム１０５は、図１、図４に示すように、その外周面に外方へと張り出す鍔部分１３１を有する。鍔部分１３１は、フレーム１０５の中心軸に対して互いに対向する位置に設けられている。鍔部分１３１は、厚み方向（フレーム１０５の軸方向）に貫通する貫通孔を有する。
【００３８】
フレーム１０５の上面（器具本体２３と反対側の端面）には、図１、図３及び図４に示すように、フィンガガード１３３が設けられている。このフィンガガード１３３は、フレーム１０５内に異物が侵入して羽根１０３と異物とが干渉するのを防止したり、フレーム１０５内への指の進入を防止したりするためのものである。
ここでのフィンガガード１３３は、軸流ファン２９の回転軸１１９上に配された円板１３５と、円板１３５の外周側に配され且つ径の異なる複数の円環１３７と、径方向に延伸して円板１３５と円環１３７とを連結する連結線１３９とを備える。
【００３９】
フィンガガード１３３の軸流ファン２９への装着は、連結線１３９における円板１３５と反対側の端部がフレーム１０５の上面の穴に挿入されることで行われる。
軸流ファン２９の器具本体２３への装着は、図４に示すように、軸流ファン２９を装着部材１４１に装着し、装着部材１４１を器具本体２３に装着することで行われる。なお、装着部材１４１と器具本体２３との間には、制振部材１４３が介在している。
（３）装着部材及び制振部材
装着部材１４１は、軸流ファン２９のフレーム１０５よりも熱伝導性の高い材料で構成されている。制振部材１４３は、装着部材１４１よりも振動吸収性の高い材料で構成されている。
【００４０】
装着部材１４１及び制振部材１４３は、ここでは、平板状をしている。また、装着部材１４１及び制振部材１４３の投影面積は、軸流ファン２９の投影面積よりも大きい。
軸流ファン２９の装着部材１４１への装着は、ここでは螺合方法が採用されている。具体的には、図１に示すように、ネジ部材１４５が利用されている。このネジ部材１４５は、軸流ファン２９の鍔部分１３１の貫通孔を通り、装着部材１４１のネジ穴１４１ａ（図４参照）に螺合する。
【００４１】
なお、制振部材１４３の貫通孔１４３ａ（図４参照）は、装着部材１４１のネジ穴１４１ａに螺合するネジ部材１４５の先端部が装着部材１４１から張り出した際に、その先端部を収容するためのものである。
装着部材１４１の器具本体２３への装着は、ここでは螺合方法が採用されている。具体的には、図１に示すように、ネジ部材１４７が利用されている。このネジ部材１４７は、装着部材１４１と器具本体２３との間に制振部材１４３を挟んだ状態（介在させた状態）で、装着部材１４１の貫通孔１４１ｂと制振部材１４３の貫通孔１４３ｂを通り、フィン２１に設けられているネジ孔２１ｃに螺合する。
【００４２】
装着部材１４１及び制振部材１４３は、器具本体２３のフィン２１側から軸流ファン２９側に流入する空気又は軸流ファン２９側から器具本体２３のフィン２１側へと流出する空気が通過する通気孔１５１，１５３を有する。なお、装着部材１４１の通気孔の符号が「１５１」であり、制振部材１４３の通気孔の符号は「１５３」である。
装着部材１４１の通気孔１５１の開口形状は、軸流ファン２９を器具本体２３側から見たとき（所謂、平面視したときである。）に、フレーム１０５内であって延伸部分１１３と固定部１０７とに対応する部分以外の領域に略一致する。
【００４３】
つまり、通気孔１５１は、装着部材１４１を平面視したときに、通気孔１５１の中に接触部分１４１ｃが位置するように、装着部材１４１に形成されている。なお、接触部分１４１ｃは、装着部材１４１における軸流ファン２９のベース１１５と接触する部分である。
通気孔１５１は、軸流ファン２９用の通気孔であり、複数の貫通孔（本発明の通気孔である。）から構成されているとも言える。この場合は、装着部材１４１を平面視したときに、接触部分１４１ｃを囲繞するように、複数の貫通孔が設けられている。
【００４４】
接触部分１４１ｃは、通気孔１５１の略中央に位置し、平面視において円形状をしている。通気孔１５１は、ここでは、正方形状をし、その対角線の交点が、軸流ファン２９の回転中心や円形状をした接触部分の中心と略一致する。
接触部分１４１ｃは、図４に示すように、橋部分１４１ｅを介して通気孔１５１の外側部分１４１ｄから架設されている。橋部分１４１ｅは、通気孔１５１の４つの角から接触部分１４１ｃに向かう。なお、橋部分１４１ｅは、平面視において、軸流ファン２９の延伸部分１１３と重なる。
【００４５】
したがって、軸流ファン２９が装着部材１４１に装着された状態では、フレーム１０５の延伸部分１１３に橋部分１４１ｅが、ベース１１５の鍔部分１１５ｂに接触部分１４１ｃがそれぞれ接触する。
制振部材１４３の通気孔１５３は、軸流ファン２９を器具本体２３側から見たときに、フレーム１０５に対応する領域と一致するように設けられている。なお、通気孔１５３は、平面視において正方形状をしている。
３．軸流ファンの放熱性について
羽根１０３が設けられている回転部１０９は回転軸１１９を有し、この回転軸１１９が固定部１０７に対して軸受１２３を介して回転自在に装着されている。回転部１０９は、発光手段２５である複数のＬＥＤが発光している間、すなわち照明装置１が点灯している間は回転している。
【００４６】
回転部１０９が回転することで、軸受１２３内に生じる摩擦熱は、固定部１０７のベース１１５を経由して、装着部材１４１へと伝導する。このとき、装着部材１４１は、熱伝導性の高い金属材料により構成されているので、ベース１１５の鍔部分１１５ｂを介して伝わった摩擦熱は、接触部分１４１ｃから橋部分１４１ｅを通って装着部材１４１の全体へと伝導する。これにより、軸受１２３内に発生した熱は内部に蓄積しにくくなり、軸受１２３及び回転軸１１９の温度上昇を抑制することができる。
【００４７】
軸流ファン２９は、図１及び図４に示すように、装着部材１４１の中央部分に設けられている。このため、軸受１２３内に生じた熱は、装着部材１４１の中央部分である接触部分１４１ｃから放射状に全体領域へと均一に伝導することができ、回転軸１１９と軸受１２３との温度上昇を効率的に抑制することができる。
装着部材１４１は、フレーム１０５の延伸部分１１３と固定部１０７の底形状に合わせた通気孔１５１を有するため、固定部１０７との接触面積が最大となり、軸流ファン２９からの受熱量を多くすることができる。
【００４８】
さらに制振部材１４３が板状で外形が装着部材１４１と略同じであり、制振部材１４３の熱伝導率が装着部材１４１の熱伝導率よりも低い場合には、放熱フィン２１の周辺で温められた空気により装着部材１４１の温度が上がるのを抑制できる。これにより、回転軸１１９と軸受１２３の温度上昇をさらに効率的に抑制することができる。
このように本実施形態に係る照明装置１では、装着部材１４１を介して軸流ファン２９の熱を放出することで、回転軸１１９と軸受１２３との温度上昇を抑制でき、軸流ファン２９の寿命を長くすることができる。
４．寿命末期の照明装置
照明装置１において、軸流ファン２９の回転部１０９は高速で回転する。回転部１０９および羽根１０３は回転時に過大な振動を起こさないように設計、製造されている。しかしながら、わずかな重心のずれにより、微小な振動が発生し、騒音が出る。
【００４９】
さらに照明装置１は、長期間使用されると、軸流ファン２９において、固定部１０７と回転部１０９とに連結されている軸受１２３内の摩擦部分の消耗が激しくなり、ガタつきが大きくなる。このガタつきのために、軸流ファンの振動が大きくなったり、装着部材１４１や器具本体２３との間で共振して異音や騒音を発したりする。
しかしながら、実施形態に係る照明装置１は、装着部材１４１と器具本体２３との間に制振部材１４３を備えている。この制振部材１４３は、振動吸収特性に優れた材料であり、軸流ファン２９や装着部材１４１の振動を吸収する。これにより、初期から振動による騒音が小さくでき、照明装置１の寿命を長くすることができる。
＜変形例＞
１．軸流ファン
（１）軸受の種類
実施形態では、回転軸１１９の軸受１２３として、ボール軸受を例にして説明したが、他の軸受を利用することもできる。他の軸受としては、例えば、焼結含油軸受や流体動圧軸受などのすべり軸受を利用できる。
【００５０】
例えば、すべり軸受の場合、軸受と回転軸との間には潤滑油が介在し、直接の接触が回避されているが、回転エネルギーの一部が熱になるとともに、周辺のコイルなどから発生する熱により、軸受および回転軸の温度が上昇する。軸受と回転軸との接触部分の温度が上昇すると、有機物である潤滑油の蒸発や劣化が引き起こされる。その結果、軸受と回転軸が直接接触するようになり、摩擦音が発生し、最終的には円滑な回転ができなくなる。
【００５１】
従って、回転軸と軸受との間で発生する摩擦熱を装着部材に積極的に伝導させて、接触部分の温度上昇を防ぐことは、回転軸と軸受との耐久性や静粛性の観点からも望ましい。
（２）位置
実施形態では、軸流ファン２９は、器具本体２３のフィン２１の上面に装着されている。つまり、軸流ファン２９は器具本体２３から上方へと張り出すように設けられている。
【００５２】
しかしながら、軸流ファンは、フィンの周辺の空気を流動させれば良く、軸流ファンの装着位置は特に限定するものではない。以下、実施形態と異なる態様で軸流ファンを装着した例を変形例１として説明する。
図６は、変形例１に係る照明器具の断面図である。
変形例１に係る照明器具２０１は、器具本体２３、発光手段２５、反射手段２７及び軸流ファン２０５を備える。ここで、器具本体２３、発光手段２５及び反射手段２７は、実施形態における器具本体２３、発光手段２５及び反射手段２７と同じ構成であり、同じ符号を用いる。
【００５３】
器具本体２３は、その上部側が複数のフィン２１が設けられたフィン部分３７となっている。フィン部分３７の中央部分は凹入している。
軸流ファン２０５は、装着部材２０９と制振部材２１１とを介して器具本体２３に装着される。軸流ファン２０５は、実施形態の軸流ファン２９からフィンガガード１３３を取り除いたものと同じ構成である。
【００５４】
軸流ファン２０５は、装着部材２０９に例えばネジ部材２１３を介して固定されている。軸流ファン２０５が装着されている装着部材２０９は、図４に示すように、ネジ部材２１５によりフィン２１に固定されている。このとき、軸流ファン２０５が器具本体２３の中央の背の低いフィン２１ａによって生じる凹入部分に嵌っている。
制振部材２１１は、実施形態と同様に、装着部材２０９と器具本体２３との間に介在する状態で設けられている。また、制振部材２１１は、平面視において、フィン部分３７と略同じ大きさである。
【００５５】
本変形例１に係る照明器具２０１においても、装着部材２０９の中央部分２０９ａは、軸流ファン２０５の固定部２１７と接触する。つまり、変形例１に係る装着部材２０９も、固定部２１７と接触する接触部（中央部分２０９ａに相当する。）を有している。
ここでは、装着部材２０９及び制振部材２１１は平板状をし、装着部材２０９は制振部材２１１よりも平面視におけるサイズが大きい。
（３）フレーム
実施形態では、軸流ファン２９のフレーム１０５は平面視において正方形状をしていたが、他の形状あっても良い。以下、実施形態と異なるフレーム形状をした軸流ファンの例を変形例２として以下説明する。
【００５６】
図７は、変形例２に係る軸流ファンの説明図であり、（ａ）は上方から見た図であり、（ｂ）は下方から見た図である。
変形例２に係る軸流ファン２５１は、横断面形状が円形状をした有底筒状のフレーム２５３を有する。フレーム２５３の外周側には、中心軸を挟んだ対向位置に鍔部分２５５があり、軸流ファン２５１を器具本体に装着する際のネジ部材が挿通する貫通孔２５５ａが鍔部分２５５に形成されている。
【００５７】
本変形例２においても、フレーム２５３の上面には、図７の（ａ）に示すように、フィンガガード２５７が装着されている。
フレーム２５３の底は、図７の（ｂ）に示すように、固定部を構成するベース２６１を有している。ベース２６１は、フレーム２５３の内周面から中心軸に向かって延伸する複数の延伸部分２６３により支持されている。
【００５８】
なお、変形例２におけるフレーム２５３の横断面形状は円形状であったが、他の形状でも良い。他の形状としては、楕円形状、多角形状等である。しかし、回転する羽根の軌道とフレームの大きさを考慮すると、横断面形状は円形状、正方形等の正多角形状が好ましい。
（４）軸流ファンの構造
実施形態の軸流ファン２９では、回転部１０９が回転軸１１９を有している。この回転軸１１９は中実の円柱状をし、回転部１０９のハウジング１２５に装着されている。
【００５９】
しかし、軸流ファンは、ハウジングと別部材である回転軸を有しない構造であっても良い。以下、別部材としての回転軸を有していない軸流ファンを変形例３として説明する。
また、実施形態では、固定部１０７のコイル１１７に対して、回転部の永久磁石１２７が外側に位置する、所謂、アウターロータータイプの軸流ファンをについて説明している。しかし、軸流ファンは、所謂、インナーロータータイプであっても良い。以下、インナーロータータイプの軸流ファンを変形例４として説明する。
【００６０】
図８は、変形例３に係る軸流ファンの断面図である。
変形例３に係る軸流ファン２７１は、固定部１０７と回転部２７３とを有する。回転部２７３は、軸受２７５を介して固定部１０７に回転自在に支持されている。
回転部２７３は、有底筒状のハウジング２７７と、ハウジング２７７に設けられた永久磁石２７９とを備える。ハウジング２７７は、底の中央から円筒状の延伸する円筒部分２７７ａを有する。円筒部分２７７ａは、軸受２７５に内嵌され、実施形態における軸流ファン２９の回転軸１１９として機能する。
【００６１】
図９は、変形例４に係る軸流ファンの断面図である。
変形例４に係る軸流ファン２８１は、固定部２８３と回転部２８５とを有する。回転部２８５は、軸受２８７を介して固定部２８３に回転自在に支持されている。
固定部２８３は、フレームから延伸する延伸部分に支持されているハウジング２８９と、ハウジング２８９に設けられたコイル２９１とを有している。ハウジング２８９は、有底筒状をし、筒部分２８９ａの内周面にコイル２９１が装着されている。ハウジング２８９は、底の中央から円筒状に延伸する円筒部分２８９ｂを有する。
【００６２】
円筒部分２８９ｂは、軸受２８７に内嵌され、固定軸として機能する。また、円筒部分２８９ｂは、軸受２８７を保持しており、ハウジング２８９が本発明の保持部に相当する。
回転部２８５は、ベース２９３と、ベース２９３に設けられた永久磁石２９５とを備える。ベース２９３は、中央から円筒状の延伸する円筒部分２９３ａを有する。永久磁石２９５は、円筒部分２９３ａの外周に設けられている。
（５）羽根の回転方向
実施形態では、羽根１０３の回転方向について特に説明していないが、回転方向について特に限定するものではない。つまり、羽根１０３の回転によって、フィン部分３７の外部から内部へと空気を流入させても良いし、フィン部分３７の内部から外部へと空気を流出させても良い。どちらにしてもフィン２１の周辺に空気の流動が生じ、フィン２１の熱交換が促進されるからである。
【００６３】
但し、フィンに対して軸流ファンから吹き付ける向きの風の方が熱交換特性は良くなる。したがって、羽根の回転は、フィンに対して吹き付ける風を起こすような回転方向が好ましい。
（６）その他
実施形態では、軸流ファン２９の固定部１０７に連結する延伸部分１１３は、フレーム１０５におけるフィン２１に近い側の端に設けられている。延伸部分のフレームに対する位置は特に限定するものではない。
【００６４】
しかしながら、延伸部分の位置は、羽根を回転させた際の正圧側の方が好ましい。実施形態で具体的に説明すると、軸流ファン２９は、フィン２１に対して吹き付ける風を送るように回転している場合、羽根１０３からフィン２１までが正圧となる。このような回転の場合、実施形態で示しているように、延伸部分１１３は羽根１０３とフィン２１との間に位置している方が好ましい。
【００６５】
これは、負圧側に延伸部分があると、吸引時に風切り音が発生するからである。
実施形態や変形例１では、軸流ファン２９，２０５は１個であったが、軸流フィンの個数は１個に限定するものでなく、例えば複数個あっても良い。また、羽根の数は、４個に限定するものでなく、２個、３個又は５個以上であっても良いし、多段式の軸流ファンであっても良い。
２．器具本体
実施形態では、複数のフィン２１は器具本体２３の一部として設けられていたが、発光手段２５を装着する装着部材に装着される構造であっても良い。つまり、複数のフィンと、発光手段２５用の装着部材とが別部材として構成されていても良い。このような照明器具の場合、発光手段２５を装着する装着部材が器具本体となる。
【００６６】
複数のフィンと装着部材とを別部材とする構成としては、例えば、板状の基台と、基台から延伸する複数のフィンとを一体として有するフィン部材を、発光手段２５用の装着部材に取り付けるようなものがある。
また、実施形態では、器具本体２３と反射手段２７とは別の部材（別体）として構成され、反射手段２７を器具本体２３に装着している。
【００６７】
しかしながら、器具本体と反射手段とを１つの部材（一体）として構成しても良いし、発光手段を装着するための部材と反射手段とを１つの部材で構成し、フィン部材を装着するようにしても良い。
３．フィン
実施形態では、複数のフィン２１は、器具本体２３の厚み方向に延伸し、その延伸方向から見たときに、各フィン２１は矩形状をしている。つまり、各フィン２１は器具本体２３の厚み方向と直交する断面形状が矩形状で、前記厚み方向に延伸している。
【００６８】
しかしながら、フィンは、発光手段の発光時の熱を周辺空気に伝導、輻射、対流により放出できれば良く、その形状は特に限定するものではない。
以下、フィンの形状・構造についての変形例について説明する。
図１０は、変形例５に係る照明器具の概略図である。
変形例５に係る照明器具３０１は、器具本体３０３、発光手段２５、反射手段２７及び軸流ファン２９を備える。ここで、発光手段２５（図に現れていない）、反射手段２７及び軸流ファン２９は、実施形態におけるこれらと同じ構成であり、同じ符号を用いる。
【００６９】
器具本体３０３は、その上部側が複数のフィン３０５からなるフィン部分３０７となっている。複数のフィン３０５は、器具本体３０３の厚み方向に延伸する。
複数のフィン３０５は、その高さがすべて等しくなっている。この点において実施形態における複数のフィン２１と異なる。
複数のフィン３０５は、実施形態の複数のフィン２１と同様な配置となっている。つまり、複数のフィン３０５は、横断面形状が矩形状をし、その長手方向に複数列（ここでは２列である。）並ぶように配置されており、各列間に隙間が存している。これにより、複数のフィン３０５の周辺の空気を軸流ファン２９によって流動させることができる。
【００７０】
図１１は、変形例に係るフィンの平面視であり、（ａ）が変形例６に係るフィンであり、（ｂ）が変形例７に係るフィンである。
変形例６に係る複数のフィン３５１は、器具本体３５３の厚み方向（図中の紙面と直交する方向である。）に延伸する。複数のフィン３５１のそれぞれは、器具本体３５３の中央部分３５５を除いて、その周りに所定の間隔をおいて周方向に設けられている。つまり、複数のフィン３５１は、平面視において、放射状に配されている。
【００７１】
複数のフィン３５１の高さは、ここではすべて同じあるが、径方向に高低差をつけても良いし、周方向に高さの異なるフィンを交互に配置しても良い。また、器具本体３５３の中央部分３５５に高さの低いフィンを放射状に設けても良い。
変形例７に係る複数のフィン３７１は、器具本体３７３の厚み方向（図中の紙面と直交する方向である。）に延伸する。複数のフィン３７１のそれぞれは、厚み方向と直交する横断面が円形状をし、同心円状に設けられている。
【００７２】
なお、各フィン３７１は、径方向に貫通する貫通孔３７５を有している。これによって、すべてのフィン３７１の周辺で軸流ファンによる空気の流動が生じるようになっている。
複数のフィン３７１の高さは、ここではすべて同じあるが、すべて同じに統一する必要はない。
【００７３】
図１２は、変形例８に係るフィンを有する照明装置４０１の断面図である。
変形例８に係る複数のフィン４０３は、器具本体４０５の厚み方向と直交する（図中の左右方向である。）に延伸する。複数のフィン４０３のそれぞれは、器具本体４０５の中央部分４０７を除いて、その周りから直交する方向に平板状に延伸し、器具本体４０５の厚み方向に所定の間隔をおいて設けられている。
【００７４】
つまり、複数のフィン４０３からなるフィン部分４０９は、厚み方向に延伸する筒領域４１１と、筒領域４１１の外周から筒領域４１１の中心軸と直交する方向に板状に延伸する複数のフィン４０３とを備えている。
なお、筒領域４１１には、筒領域４１１を貫通する貫通孔４１３を有している。これにより、すべてのフィン４０３の周辺で軸流ファン２９によって空気の流動が生じる。
４．装着部材
実施形態では、装着部材１４１は平板状をしていたが、軸流ファンにおいて、回転により温度上昇しやすい部位と接触する接触部分を有していれば、他の形状・構造であっても良い。
【００７５】
他の形状としては、軸流ファンとの接触部分を底に有する有底筒状や、内部に中空部を有し且つ外周面に軸流ファンとの接触部分を有する箱状等がある。
他の構造としては、軸流ファンとの接触部分を平坦部分に有し、当該平坦部分以外の領域にフィンを有するような構造であっても良い。
実施の形態では、装着部材１４１は平板状であり、その厚みは均一であった。また、軸流ファンの支持部は、フレーム１０５におけるフィン２１側の端から延伸して延伸部分に連結されている。このため、フレーム１０５のフィン２１側の端面が、支持部の端面と略面一状となっている。
【００７６】
このような場合、装着部材１４１が平板状であっても軸流ファンの支持部と接触することができる。
しかしながら、軸流ファンの支持部が、フレームの中心軸方向の内側に凹入した位置で延伸部分に連結されている場合は、平板状の装着部材では支持部とすることが困難となる。
【００７７】
このような場合、装着部材における支持部と接触すべき部分の厚みを大きくしたり、接触すべき部分をプレス等で凹入させたりすることで、装着部材と支持部とを接触させることができる。
さらに、実施形態では、装着部材１４１と軸流ファン２９の支持部と直接接触していたが、例えば、熱伝導性の高い放熱グリス（シリコーンや、化学合成油と金属酸化物を配合したもの等である。）や放熱シート（例えば、シリコーンゴム、アクリル系ゴム、エチレンプロピレン系ゴム等である。）を介して間接的に接触させても良い。
【００７８】
また、実施形態では、装着部材１４１は、軸流ファン２９の支持部の１つの面と接触していたが、例えば、支持部が円筒状の場合、底部分と筒部分の一部とに接触するようにしても良い。
５．制振部材
実施形態では、制振部材１４３は装着部材１４１と同じ形状・同サイズであったが、形状、サイズとも同じでなくても良い。例えば、装着部材が制振部材よりも大きくても良いし、制振部材が装着部材よりも大きくても良い。
【００７９】
以下、制振部材の形状等についての変形例について説明する。
図１３は、変形例９〜１１に係る制振部材の平面図である。（ａ）は変形例９に係る制振部材であり、（ｂ）は変形例１０に係る制振部材であり、（ｃ）は変形例１１に係る制振部材である。なお、これらの図は、制振部材を実施形態に係る器具本体２３の上面に載置した状態を上方から見た図である。
【００８０】
変形例９に係る制振部材５０３は、複数個、ここでは４個ある。各制振部材５０３は、図１３の（ａ）に示すように、平面視において円形状をしている。各制振部材５０３は、実施形態に係る制振部材１４３と同じにように、板状をしている。
変形例１０に係る制振部材５２３，５２５は、複数個、ここでは、２個ある。各制振部材５２３，５２５は、図１３の（ｂ）に示すように、平面視において、環形状をしている。
【００８１】
ここでは、制振部材５２３，５２５は、互いに直径の異なる円環状をしている。各制振部材５２３，５２５は、実施形態に係る制振部材１４３と同じにように、板状をしている。なお、変形例９及び１０に係る制振部材は、実施形態と同様に、シリコーン系の樹脂材料等により構成されている。
変形例１１に係る制振部材５５３は、図１３の（ｃ）に示すように、複数個、ここでは８個ある。８個の制振部材は、器具本体２３のフィン部分３７（フィン２１）に対して、周方向に間隔、ここでは、等間隔をおいて配されている。
【００８２】
各制振部材５５３は、弾性体からなり、装着部材と器具本体２３との間に挟まれる。制振部材５５３の材料としては、例えばシリコーン系の樹脂材料がある。
制振部材は、主に、軸流ファンの回転時の振動を器具本体に伝えないようにする機能を有する。したがって、制振部材は、軸流ファンが装着されている装着部材と器具本体（フィン部分）とが接触するのを抑制できれば、その形状、大きさ、構造等は特に限定するものではない。さらに、制振部材の熱伝導率が装着部材よりも低く、放熱フィンからの直接の熱伝導あるいは放熱フィン周辺の温められた空気からの熱により装着部材の温度が上がるのを抑制できるものが好ましい。
６．装着部材及び制振部材
実施形態や変形例では、装着部材と制振部材とを別部材としていたが、例えば、熱伝導性が高くしかも振動吸収性（制振性）が高い材料であれば、１つの部材で構成することもできる。また、装着部材と制振部材とを貼り付けて、一体としたものであっても良い。
７．発光手段
実施形態では、発光手段２５の光源としてＬＥＤを利用したものについて説明した。これは、ＬＥＤを用いた照明器具において、軸流ファンの寿命がＬＥＤの寿命よりも短いためである。
【００８３】
しかしながら、本発明は、例えば、蛍光ランプ等の光源を交換可能に備える照明装置に対しても適用できる。つまり、光源の寿命が軸流ファンの寿命より短い場合でもあっても、照明器具を設置位置から取り外すことなく、光源を交換できるときは、軸流ファンの寿命が問題となるためのである。
従って、発光手段は、ＬＥＤ等の半導体発光素子に限定するものではなく、従来から存する、電球、蛍光灯を光源とするものであっても良い。
８．反射手段
実施形態では、図３に示すように、反射手段２７の開口から天井の奥側に入り込んだ位置に発光手段２５が配されていたが、例えば、天井の開口近くに、つまり、天井の奥側に入り込んでいない位置に発光手段２５が配されている場合や、照明装置がスポットライト用のダウンライトの場合には、反射手段を必ずしも備える必要はない。
９．照明器具
実施形態では、照明器具５として発光部１５が一体となったタイプを例にして説明したが、例えば、発光部が器具本体に対して着脱自在（交換可能）に装着できるようなタイプであっても良い。
【００８４】
着脱自在な構造としては、発光部に接続する配線と、電源ユニットと接続する配線とを、例えば、互いに着脱自在なコネクタを利用して接続することで実施できる。
１０．照明装置
実施形態では、照明装置１としてダウンライトタイプを例にして説明したが、他のタイプでも良い。他のタイプとしては、フィンと軸流ファンとを有する照明器具が含まれていれば良く、例えば、天井に器具本体の一部又は全部を埋め込む埋込タイプでも良いし、壁に器具本体の一部を挿入するブラケットタイプでも良い。
【００８５】
また、実施形態では、照明装置１として、照明器具５と電源ユニット３とが別体となった２つのユニットから構成されたものについて説明したが、電源ユニットが照明器具に組み込まれた１つのユニットから構成されたものであっても良い。
【符号の説明】
【００８６】
１    照明装置
３    電源ユニット
５    照明器具
２１    フィン
２３    器具本体
２９    軸流ファン
１１５    ベース（保持部）
１４１    装着部材
１４１ｃ  接触部分
１４１ｄ  外側部分
１４１ｅ  橋部分
１４３    制振部材
１５１    通気孔
【図１】
2014071981.tif 000003
【図２】
2014071981.tif 000004
【図３】
2014071981.tif 000005
【図４】
2014071981.tif 000006
【図５】
2014071981.tif 000007
【図６】
2014071981.tif 000008
【図７】
2014071981.tif 000009
【図８】
2014071981.tif 000010
【図９】
2014071981.tif 000011
【図１０】
2014071981.tif 000012
【図１１】
2014071981.tif 000013
【図１２】
2014071981.tif 000014
【図１３】
2014071981.tif 000015